(57)【要約】      （修正有）【課題】簡単に使用できる多機能性を備える取付けブラケットを提供する。【解決手段】電気デバイスと第１の支持体との間の第１の取付け角度が規定されるように電気デバイスを第１の支持体に取り付け、かつ電気デバイスと第２の支持体との間に第２の取付け角度が規定されるように電気デバイスを択一的な第２の支持体に取り付けるための手段７，８，９，１０，１３，１４，１７，１８，１９を含む電気デバイスのための多機能取付けブラケット１において、第２の取付け角度が第１の取付け角度とは異なる。【選択図】図１
2007180500.tif 000002
【特許請求の範囲】
【請求項１】
電気デバイス（２５）と第１の支持体との間の第１の取付け角度が規定されるように電気デバイス（２５）を第１の支持体に取り付け、かつ電気デバイスと第２の支持体との間に第２の取付け角度が規定されるように電気デバイス（２５）を択一的な第２の支持体に取り付けるための手段（７，８，９，１０，１３，１４，１７，１８，１９）を含む、電気デバイス（２５）のための多機能取付けブラケット（１）において、
第２の取付け角度が第１の取付け角度とは異なることを特徴とする、多機能取付けブラケット（１）。
【請求項２】
第１の支持体据付けが第１の支持体への電気デバイス（２５）の平行又は実質的に平行な取付けを許容しかつ／又は第２の支持体据付けが択一的な第２の支持体への電気デバイス（２５）の垂直又は実質的に垂直な取付けを許容する、請求項１記載の取付けブラケット（１）。
【請求項３】
取り付けるための手段が、第１の支持体への取付けブラケット（１）の固定を許容する第１の固定手段（７，８，９，１０）と、第１の支持体据付けのために取付けブラケット（１）を電気デバイス（２５）と結合するための第１の結合手段（１３，１４）と、第２の支持体への取付けブラケット（１）への択一的な固定を許容する第２の固定手段（１７）と、第２の支持体据付けのために取付けブラケット（２５）を電気デバイス（１）と結合するための第２の結合手段（１８，１９）とを含む、請求項１又は２記載の取付けブラケット（１）。
【請求項４】
第１及び第２の固定手段（７，８，９，１０，１７）と第１及び第２の結合手段（１３，１４，１８，１９）とが取付けブラケット（１）に互いに別個に配置されている、請求項３記載の取付けブラケット（１）。
【請求項５】
少なくとも１つ及び／又は全ての固定手段（７，８，９，１０，１７）及び／又は結合手段（１３，１４，１８，１９）が取付けブラケット（１）における凹所として実現されている及び／又は取付けブラケット（１）における凹所を含みかつ／又は取付けブラケットが一体型部品である、請求項３又は４記載の取付けブラケット（１）。
【請求項６】
取付けブラケット（１）が３つの区分を有する形状に実現されており、第１の区分（Ｉ）が第２の固定手段（１７）を含みかつ／又は第２の区分（ＩＩ）が第１の固定手段及び第１の結合手段を含みかつ／又は第３の区分が第２の結合手段を含む、請求項２から５までのいずれか１項記載の取付けブラケット（１）。
【請求項７】
３つの区分（Ｉ，ＩＩ，ＩＩＩ）が、Ｕ字形又は拡がったＵ字形の横断面を備えるように配置されており、横たわった脚が第２の区分によって規定されている、請求項６記載の取付けブラケット（１）。
【請求項８】
第１の固定手段が、固定手段を受容するための凹所（９，１０）を備えた、壁又は天井等のための接触領域（１１，１２）を規定する少なくとも１つの突出した領域（７，８）として実現されており、かつ／又は
第２の固定手段が三脚等のピン又はねじ山付ボルトを受容するための孔（１７）として実現されており、かつ／又は
第２の結合手段が電気デバイス（２５）の取付けリンク（２９，３０）を受容するための少なくとも１つの第１のレセプタクル（１３，１４）として実現されており、取付けリンク（２９，３０）が第１のスライド方向に沿ったスライド移動によって固定されるようになっており、かつ／又は
第２の結合手段が電気デバイス（２５）の取付けリンク（２９，２０）を受容するための少なくとも１つの第２のレセプタクル（１８，１９）として実現されており、取付けリンク（２９，２０）が、第１のスライド方向とは異なる及び／又は第１のスライド方向に対して垂直な第２のスライド方向に沿ったスライド移動によって固定されるようになっている、請求項２から７までのいずれか１項記載の取付けブラケット（１）。
【請求項９】
第１及び第２の結合手段が、電気デバイス（２５）を取付けブラケット（１）に固定するために電気デバイス（２５）の取付けリンク（２９，３０）から突出したピンを受容するための孔（１５，１６，２０，２１）を有する、請求項１から８までのいずれか１項記載の取付けブラケット（１）。
【請求項１０】
電気デバイス（２５）が、取付けブラケット（１）の第１及び第２の結合手段と係合するための第３の結合手段（２９，３０）を有する、請求項１から９までのいずれか１項記載の取付けブラケット（１）との電気デバイス（２５）の組合せ。
【請求項１１】
取付けブラケット（１）が、第１の支持体据付けのために電気デバイス（２５）に一体化されかつ／又は第２の支持体据付けのために電気デバイス（２５）から突出する、請求項１０記載の組合せ。
【発明の詳細な説明】
【技術分野】
【０００１】
本発明は、電気デバイスのための多機能取付けブラケット、特に、無線アクセスポイントデバイス（ＷＡＰ）のための多機能取付けブラケットに関する。
【背景技術】
【０００２】
日常生活において、電気デバイスが、電話システム、コンピュータシステム等の多くの用途に関連して使用されている。これらの電気デバイスは支持体に取り付けられるべきであり、これにより、秩序を保ち、再現可能な出力を備えかつ確実かつ容易に保守することができる電気デバイスを含むシステムを達成する。
【０００３】
独国特許出願公開第１９６３２２８７号明細書は、警告装置と、装置を壁ホルダに着脱する方法とを開示している。警告装置を取り外すために、警告装置の個々の凹所に係合させられたホルダのスナップフックが解離させられなければならず、ロッキング装置として働くホルダのストップねじが緩められなければならない。最後に、警告装置はホルダから分離されることができる。
【０００４】
米国特許公開第２００５／００７７０７０号明細書は、車両におけるホルダに取り付けられることができる電気デバイスを開示している。ホルダは車両の屋根の内側に取り付けられている。電気デバイスは第１及び第２の結合部によってホルダに固定されている。第１の結合部はフックとして形成されており、電気デバイスはホルダに対して旋回することができ、第２の結合部はロッキングデバイスとして形成されており、電気デバイスはロックされることができる。
【特許文献１】独国特許出願公開第１９６３２２８７号明細書
【特許文献２】米国特許公開第２００５／００７７０７０号明細書
【発明の開示】
【発明が解決しようとする課題】
【０００５】
簡単に使用できる多機能性を備える取付けブラケットを提供する。
【課題を解決するための手段】
【０００６】
本発明は、請求項１の特徴を備えた、電気デバイス、特に無線アクセスポイントデバイス（"ＷＡＰ"）のための多機能取付けブラケットを提案する。
【０００７】
取付けブラケットは、電気デバイスを第１の支持体、及びその代わりに第２の支持体、に取り付けるための手段を含む。本発明によれば、電気デバイスと第１の支持体との間の取付け角度と、電気デバイスと第２の支持体との間の取付け角度とは異なる。取付け角度は好適には支持体と電気デバイスとの間の旋回角度として規定され、電気デバイスは支持体に向かって又は支持体から離れるように旋回される。言い換えれば、取付けブラケットは、第１の支持体に接触するための第１の接触領域と、第２の支持体に接触するための第２の接触領域とを有しており、２つの接触領域は互いに異なる平面、特に交差する及び／又は非平行な平面に位置している。
【０００８】
本発明の利点の１つは、取付けブラケットが、電気デバイスを様々な位置及び／又は取付け角度で取り付けるための、簡単に使用できるソリューションを具体化するということである。取付けブラケットの多機能性により、もはや、ユーザが電気デバイスを好きなように取り付けることができるように電気デバイスを複数のホルダと共に販売する必要がない。複数のホルダの代わりに多機能取付けブラケットを使用することにより、未使用材料の廃棄又は損失が生じず、その結果、製造コストが低くなり、環境の保護も成される。別の利点は、取付けブラケットが、電気デバイスが容易に着脱されることができるので、電気デバイスの、定置、準定置及び／又はレンタル目的のために使用されることができ、これにより、所要の全ての取付け材料は取付けブラケットとして実現される、ということである。
【０００９】
本発明の好適な実施形態は、従属請求項及び／又は詳細な説明における特徴によって定義される。
【００１０】
本発明の１つの実施形態において、第１の支持体据付けは、第１の支持体への電気デバイスの平行な又は実質的に平行な取付けを許容し、かつ／又は第２の支持体据付けは、択一的な第２の支持体への電気デバイスの垂直な又は実質的に垂直な取付けを許容する。この実施形態によれば、取付け装置は、好適には電気デバイスが壁又は天井、択一的には三脚に取り付けられることができるように、電気デバイスのための少なくとも２つの異なる取付け選択肢を可能にする。好適には、上に定義されたような取付けブラケットの接触領域は互いに対して垂直である。この実施形態の場合、最も使用される取付け選択肢は、取付けブラケットによってカバーされる。
【００１１】
別の実施形態において、取付けのための手段は、第１の支持体への取付けブラケットの固定を許容する第１の固定手段と、第１の支持体据付けのために取付けブラケットを電気デバイスと結合するための第１の結合手段と、第２の支持体への取付けブラケットの択一的な固定を許容する第２の固定手段と、第２の支持体据付けのために取付けブラケットを電気デバイスと結合するための第２の手段とを含む。言い換えれば、取付けブラケットは二対の取付け手段を含み、この場合、第１の対は第１の支持体への電気デバイスの取付けに適応されており、第２の対は第２の支持体への電気デバイスの取付けに適応されている。好適には、これらの２対及び／又は固定及び／又は結合手段は、取付けブラケットにおいて別個に配置されており、特に互いから機械的に隔離されて配置されている。さらに別の実施形態において、取付け手段のうちの少なくとも１つが、好適には第１及び第２の固定手段の機能または第１及び第２の結合手段の機能が組み合わされた固定手段又は組み合わされた接続手段それぞれにおいて実現されるように、二重目的を有している。
【００１２】
好適な実施形態において、取付け手段、好適には全ての取付け手段、特に固定及び／又は結合手段は、取付けブラケットにおける凹所として実現されているか又は取付けブラケットにおける凹所を含む。この実施形態は、個々の取付け手段が単純な打抜き加工又はパンチングプロセスによって製造されることができるので、取付けブラケットの費用効率のよい製造を許容する。好適には、取付けブラケットの全ての取付け手段は、打抜き加工プロセスによって又は組み合わされた打抜き加工／成形プロセスによって製造される。さらに、取付けブラケットが一体型部品として、特に一体型曲げ部品として実現される場合は有利である。
【００１３】
別の実施形態において、取付けブラケットは３区分である若しくは３部分形状を有しており、この場合好適には、３つの区分は、互いに対して角度を成している、より好適には、互いに対して区分の間に４５°又は実質的に４５°の角度を成している。この実施形態において、取付けブラケットはＵ字形又は広がったＵ字形断面を有しており、第２の区分がＵ字の横たわった脚を規定している。定義のために、（Ｕ字形の）ブラケットの内側は、凹面と呼ばれ、外面は凸面と呼ばれる。
【００１４】
本発明の好適な実現において、第１の固定手段は、ブラケットの第２の区分の自由及び／又は開放端部区分に配置されておりかつ、凸面側から突出した平坦領域を有しており、この場合、平坦領域は、例えばブラケットの壁又は天井据付けのための接触領域として機能する。さらに、第１の固定手段は、ねじ又は同様のもの等の固定手段を受容するための平坦領域における凹所を有する。選択的に、第１の結合手段は、第２の区分に配置された電気デバイスのラッチ及び／又はスナップフック等のリンクを取り付けるためのレセプタクルとして実現されており、この場合、レセプタクルは、好適には第２の区分の凸面側に対して平行な第１のスライド方向に沿った電気デバイスのスライド運動によって取付けリンクを受容するようになっている。
【００１５】
さらに選択的に、第２の固定手段は、第１の区分、好適には第１の区分の中央に配置されており、貫通孔又はクリアランスホール等の円形凹所として形成されている。好適には、第１の区分の凸面側又は凹面側は、例えばブラケットの三脚据付けのための接触領域として働く。
【００１６】
さらに選択的に、第２の結合手段は、第３の区分に形成されており、第３の区分の表面に対して平行な第２のスライド方向に沿った電気デバイスのスライドによって電気デバイスの取付けリンクを受容するようになっており、この場合、第１のスライド方向と第２のスライド方向との間の角度は、０°よりも大きくかつ好適には約９０°である。
【００１７】
別の好適な実施形態において、第１及び第２の結合手段は電気デバイスを取付けブラケットに固定するための電気デバイスの取付けリンクから突出したピン又は突出部を受容するための孔を有している。
【００１８】
請求項１０によれば、好適には前記のような電気デバイスと取付けブラケットとの組み合わせが請求されており、この場合、電気デバイスは、ブラケットの第１及び第２の結合手段と係合するための第３の結合手段を有している。好適には、第３の結合手段は取付けリンク及び／又はスナップフックとして実現されている。択一的に、電気デバイスは、取付けブラケットから突出したリンク等を取り付けるためのレセプタクルを有している。
【００１９】
好適な実施形態によれば、取付けブラケットは第１の支持体据付けのために電気デバイスに完全に一体化され、第１の結合手段の突出した領域のみが電気デバイスの後側から突出する。好適には、取付けブラケットの第２の区分は電気デバイスの後側に対して平行又は実質的に平行である。第２の支持体据付けのために、第２及び第１の区分が電気デバイスの後側から突出し、好適には取付けブラケットの第１の区分が電気デバイスの後側に対して垂直又は実質的に垂直に配置される。
【００２０】
機能的な点についていえば、例えば、電気デバイスの取り付けの第１のステップは、取付けブラケットを三脚又は択一的に壁又は天井等に固定することである。取付けブラケットへの電気デバイスの位置決め及び固定は取付けブラケットを電気デバイスの後側カバーにおける取付けリンクに滑り込ませることによって行われる。電気デバイスを配置した後、電気デバイスは、ある程度の力を用いることだけによって取付けブラケットから取り外されることができる。
【００２１】
最後に、新たな取付けブラケットは、様々な支持体にＷＡＰ等の電気デバイスを取り付けるための単一の使いやすいソリューションであり、この場合、好適には取付けブラケットは、壁又は天井等の第１の支持体と、三脚等の第２の支持体とに取り付けられるようになっている。達成されることができる別の利点は、電気デバイスを取付けブラケットに結合するための全ての結合手段がブラケット又は電気デバイスによって提供され、紛失されたり、未使用のままになるおそれがある余分な固定材料は必要とされないということである。
【発明を実施するための最良の形態】
【００２２】
本発明及びその利点をより完全に理解するために、付属の図面を参照した以下の説明がここで参照され、図面において同じ数字は同じ対象物を示している。
【００２３】
図１は、半完成品としての好適には薄板帯材又は板材から形成された一体的な曲げ部品として実現された、本発明の実施形態としての取付けブラケット１を示している。
【００２４】
取付けブラケット１は、取付けブラケット１の３つの区分Ｉ，ＩＩ，ＩＩＩを規定する２つの平行な曲げ縁部２ａ及び２ｂを有しており、この場合、区分ＩＩが中央の区分で、区分Ｉ，ＩＩＩが側方区分として配置されている。区分Ｉ，ＩＩ，ＩＩＩは約４５°の角度だけ互いに角度付けられており、区分ＩとＩＩＩとがそれらの間に約９０°の角度を有している。曲げられた形状により、取付けブラケット１は、凹面３と、図１の見る者とは反対側に面しておりひいては図１には示されていない凸面４とを有する。
【００２５】
凹面側３を見ると、中央の区分ＩＩは矩形又は長方形をなしており、区分ＩＩの開放縁部若しくは自由縁部５，６は僅かに丸み付けられている。自由縁部５，６のそれぞれにおいて、個々の凹所９，１０を備えた突出領域７，８として実現された固定手段が設けられている。突出領域７及び８は凸面側４から突出しており、凸面側４に平らな接触領域１１及び１２を形成している。凹面側３から見ると、突出領域は、自由縁部５，６へ開放した半円形を成している。凹所９，１０は、突出領域７，８の中央に配置されており、互いに対して平行に取付けブラケットを貫いて延びた長円形の孔として実現されており、この場合、凹所９の長円形の開口は曲げ縁部２ａ，２ｂに対して垂直に向けられており、凹所１０の長円形の開口は曲げ縁部２ａ，２ｂに対して平行に配置されている。言い換えれば、凹所９，１０の長円形の開口は互いに対して垂直に向けられている。
【００２６】
さらに、区分ＩＩは、開口としての、同じ台形を備えた切欠１３，１４として実現された結合手段を有しており、この場合、切欠１３，１４は、曲げ縁部２ａ，２ｂに対して平行な共通の線上に配置されており、切欠１３は突出領域７の近くに配置されており、切欠１４は突出領域８の近くに配置されている。台形の切欠１３，１４の平行な縁部は曲げ縁部２ａ，２ｂに対して垂直に配置されている。両方の切欠１３，１４は共通の方向に向けられており、この場合、台形の切欠１３，１４は、切欠１３，１４の平行な縁部のそれぞれ短い方が共通の方向に向くように位置決めされている。共通の方向に切欠１３，１４に隣接して、かつ共通の線上に、貫通孔１５，１６が位置決めされている。
【００２７】
上から見た、すなわち凹面側３から見た区分Ｉは、扁平になった半円形を成している。区分ＩＩの中央には、三脚のピン又はねじ山付きボルトを受容するためのクリアランスホール１７が設けられている。
【００２８】
区分ＩＩＩは、互いに対して平行に、曲げ縁部２ａ，２ｂに対して垂直に延びたスロット１８，１９として形成された２つのレセプタクルを有している。スロット１８，１９の間の距離は、切欠１３，１４の２つのより短い縁部の間の距離と同じである。スロット１８，１９に隣接して、切欠１３，１４に関する貫通孔１５，１６と同じ形式で貫通孔２０，２１が配置されている。区分ＩＩＩは中央の切欠２４によって２つのサブセクション２２，２２に分割されており、２つのサブセクション２２，２３は、ＷＡＰ（図３ａ，ｂ，ｃ）と結合する間に互いから独立して曲げられることができる。
【００２９】
図２ａから２ｃまでは、取付けブラケット１がＷＡＰ（無線アクセスポイントデバイス）２５と結合されるときの手順を示している。
【００３０】
ＷＡＰ２５の後側は取付けブラケットに対応する３つの部分に分かれており、第１の区分２６及び第３の区分２７はそれぞれ取付けブラケット１の区分Ｉ及びＩＩのための凹所として形成されている。第２の区分２８は、取付けブラケットの切欠１３及び１４と係合する２つのスナップフック２９，３０を有している。
【００３１】
第１のステップにおいて、取付けブラケットは壁又は天井に固定され、この場合、固定手段、例えばねじ等、が凹所９，１０を貫いて案内され、壁又は天井に固定され、これにより、取付け装置の接触領域１１，１２が壁又は天井と直接に接触する。
【００３２】
第２のステップにおいて、ＷＡＰ２５が取付けブラケットに取り付けられ、この場合、取付け装置の区分ＩＩの凹面側３に対して垂直な移動によって、スナップフック２９，３０が切欠１３，１４を貫いて案内される。このステップが図２ａ，２ｂに示されている。
【００３３】
図２ｂ及び２ｃに示された第３のステップにおいて、ＷＡＰ２５は前述の共通の方向にスライドさせられ、これにより、スナップフック２９，３０が切欠１３，１４のより短い縁部に嵌合し、ＷＡＰ２５を取付けブラケット１に固定し、ひいてはＷＡＰ２５を壁又は天井又は、一般的に言えば平坦な支持面、に取り付ける。スナップフック結合を強化するために、各スナップフック２９又は３０の内側にピン又は突出部が配置されており、このピン又は突出部が個々に孔１５又は１６に嵌合する。図２ｃに示された結合された状態において、取付けブラケット１はＷＡＰ２５のボディに完全に一体化されている。
【００３４】
ＷＡＰ２５を取り外す場合、ＷＡＰ２５を共通の方向とは反対方向に引っ張る又はスライドさせることによってスナップフック結合を解除するためにある程度の力が使用されなければならない。
【００３５】
図３ａからｃまでは、ＷＡＰ２５の三脚据付けのための取付けブラケット１とＷＡＰ２５との結合の形式を例示するための連続である。
【００３６】
第１のステップにおいて、取付けブラケット１は、三脚のピン又はねじ山付ボルト等の固定手段をクリアランスホール１７を貫いて案内及び固定することによって三脚（図示せず）に固定される。第２のステップにおいて、ＷＡＰ２５の後側が区分ＩＩＩの凸面側４と接触させられ、後側と区分ＩＩＩの凸面側４とが互いに平行に配置される。第３のステップにおいて、ＷＡＰは取付けブラケット１のスリット１８及び１９の延長部に対して平行なスライド方向にスライドさせられ、これによりスナップフック２９がスリット１８，１９に滑り込まされ、スナップフック２９，３０の取付けリンクがそれぞれサブセクション２２，２３に嵌合する。再び、スナップフック２９，３０の内側に配置されたピン又は突出部が区分ＩＩＩの個々の貫通孔２１，２２に係合する。図３ｃに示したような結合された状態において、取付けブラケット１の区分ＩがＷＡＰ２５の後側に対して垂直に延びている。
【００３７】
図２ａから図３ｃまでを用いて実演されたように、取付けブラケット１は、さらなる取付け材料なしにＷＡＰ２５のためのホルダとして使用されることができる一体型部品である。ＷＡＰ２５及び取付けブラケット１は２つの異なる形式で組み合わされることができる：壁又は天井据付けの場合、ＷＡＰ２５は取付けブラケット１の凹面と接触させられ、壁又は天井は取付けブラケット１の凸面側４における接触領域１１，１２と接触する。三脚据付けの場合、ＷＡＰ２５の後側は取付けブラケット１の凸面側４と接触させられ、三脚に接触するための接触領域は、取付けブラケット１の両側において区分Ｉに設けられている。
【図面の簡単な説明】
【００３８】
【図１】本発明の実施形態としての取付けブラケットにおける三次元概略図である。
【図２ａ】壁又は天井据付のための無線アクセスポイントデバイスと結合する第１のステップにおける図１の取付けブラケットを示している。
【図２ｂ】壁又は天井据付のための無線アクセスポイントデバイスと結合する第２のステップにおける図１の取付けブラケットを示している。
【図２ｃ】壁又は天井据付のための無線アクセスポイントデバイスと結合する第３のステップにおける図１の取付けブラケットを示している。
【図３ａ】三脚据付のための図２（ａ〜ｃ）の無線アクセスポイントデバイスと結合する第１のステップにおける図１の取付けブラケットを示している。
【図３ｂ】三脚据付のための図２（ａ〜ｃ）の無線アクセスポイントデバイスと結合する第２のステップにおける図１の取付けブラケットを示している。
【図３ｃ】三脚据付のための図２（ａ〜ｃ）の無線アクセスポイントデバイスと結合する第２のステップにおける図１の取付けブラケットを示している。
【符号の説明】
【００３９】
１  取付けブラケット、  ２ａ，２ｂ  曲げ縁部、  ３  凹面、  ４  凸面、  ５，６  自由縁部、  ７，８  突出領域、  ９，１０  凹所、  １１，１２  接触領域、  １３，１４  切欠、  １５，１６  貫通孔、  １７  クリアランス孔、  １８，１９  スロット、  ２０，２１  貫通孔、  ２２，２３  サブセクション、  ２５  ＷＡＰ、  ２６  第１の区分、  ２７  第３の区分、  ２８  第２の区分、  ２９，３０  スナップフック
【図１】
2007180500.tif 000003
【図２ａ】
2007180500.tif 000004
【図２ｂ】
2007180500.tif 000005
【図２ｃ】
2007180500.tif 000006
【図３ａ】
2007180500.tif 000007
【図３ｂ】
2007180500.tif 000008
【図３ｃ】
2007180500.tif 000009
【外国語明細書】
2007180500.tif 000010
2007180500.tif 000011
2007180500.tif 000012
2007180500.tif 000013
2007180500.tif 000014
2007180500.tif 000015
2007180500.tif 000016
2007180500.tif 000017
2007180500.tif 000018
2007180500.tif 000019
2007180500.tif 000020
2007180500.tif 000021
2007180500.tif 000022
2007180500.tif 000023
2007180500.tif 000024
2007180500.tif 000025
2007180500.tif 000026
2007180500.tif 000027
2007180500.tif 000028
2007180500.tif 000029